(57)【要約】【課題】連結部の組み立てが容易な携帯電子機器を提供する。【解決手段】携帯電話機１は、貫通孔１１ｈが形成された表示筐体５と、貫通孔１１ｈの貫通方向の一方側において貫通孔１１ｈに対向する第１側方穴部３５ｈ、及び、貫通孔１１ｈの貫通方向の他方側において貫通孔１１ｈに対向する第２側方穴部３７ｈが形成された操作筐体３とを有する。また、携帯電話機１は、第１側方穴部３５ｈ及び貫通孔１１ｈに跨って配置されており、その配置が第１側方穴部３５ｈから出つつ貫通孔１１ｈへ入る移動により可能である第１軸部品２７と、貫通孔１１ｈ及び第２側方穴部３７ｈに跨って配置されており、その配置が第１軸部品２７により貫通孔１１ｈから押し出されつつ第２側方穴部３７ｈへ入る移動により可能である第２軸部品２９とを有する。【選択図】図１０
2011172023.tif 000002
【特許請求の範囲】
【請求項１】
貫通孔が形成された第１筐体と、
前記貫通孔の貫通方向の一方側において前記貫通孔に対向する第１側方穴部、及び、前記貫通孔の貫通方向の他方側において前記貫通孔に対向する第２側方穴部が形成された第２筐体と、
前記第１側方穴部及び前記貫通孔に跨って配置されており、その配置が前記第１側方穴部から出つつ前記貫通孔へ入る移動により可能である第１軸部品と、
前記貫通孔及び前記第２側方穴部に跨って配置されており、その配置が前記第１軸部品により前記貫通孔から押し出されつつ前記第２側方穴部へ入る移動により可能である第２軸部品と、
を有する携帯電子機器。
【請求項２】
前記第１側方穴部及び前記貫通孔に跨って配置された状態の前記第１軸部品の前記第１側方穴部側から前記貫通孔側への移動、及び、前記貫通孔及び前記第２側方穴部に跨って配置された状態の前記第２軸部品の前記貫通孔側から前記第２側方穴部側への移動を規制する第１係止部を更に有する
請求項１に記載の携帯電子機器。
【請求項３】
前記第１係止部は、前記第２軸部品に当接して前記第２軸部品の前記貫通孔側から前記第２側方穴部側への移動を規制し、
前記第１軸部品は、前記第１係止部により移動が規制された状態の前記第２軸部品に当接することにより、前記第１側方穴部側から前記貫通孔側への移動が規制される
請求項２に記載の携帯電子機器。
【請求項４】
前記第２筐体は、
前記第１側方穴部及び前記第２側方穴部が形成される第１ケース部材と、
前記第１ケース部材と固定される第２ケース部材と、
を有し、
前記第２ケース部材は、前記第１ケース部材と固定されたときに、前記第２軸部品により移動が規制された状態の前記第１軸部品に当接して前記第１軸部品の前記貫通孔側から前記第１側方穴部側への移動を規制する第２係止部を有する
請求項３に記載の携帯電子機器。
【請求項５】
前記第２筐体は、前記第２側方穴部を中空領域とする筒状部を有し、
前記第１係止部は、前記筒状部の前記貫通孔とは反対側の端面部であり、
前記端面部には、前記第２軸部品よりも径が小さい小孔部が形成されている
請求項２〜４のいずれか１項に記載の携帯電子機器。
【請求項６】
前記第２筐体は、
前記第１側方穴部及び前記第２側方穴部が形成される第１ケース部材と、
前記第１ケース部材と固定される第２ケース部材と、
を有し、
前記第１ケース部材は、前記第２側方穴部の前記貫通孔とは反対側において、前記貫通方向に見て前記第２側方穴部の少なくとも一部に重なり、前記第２側方穴部との距離が前記第２軸部品の長さよりも短い壁部を有する
請求項１〜５のいずれか１項に記載の携帯電子機器。
【請求項７】
前記貫通方向において、前記第２軸部品の長さは、前記貫通孔の長さと同等である
請求項１〜６のいずれか１項に記載の携帯電子機器。
【発明の詳細な説明】
【技術分野】
【０００１】
本発明は、携帯電話機、ＰＤＡ、ゲーム機等の携帯電子機器に関する。
【背景技術】
【０００２】
２つの筐体を折り畳み可能な携帯電子機器が知られている（例えば特許文献１）。特許文献１において、２つの筐体を連結する連結部は、一方の筐体に形成された第１筒状部と、他方の筐体に形成され、第１筒状部の両側に同軸状に配置された２つの第２筒状部とを有している。また、連結部は、第１筒状部及び一方の第２筒状部に挿通される第１軸部品と、第１筒状部及び他方の第２筒状部に挿通される第２軸部品とを有している。このように連結部が形成されることにより、２つの筐体は、第１及び第２筒状部の軸回りに相対回転可能に連結される。
【先行技術文献】
【特許文献】
【０００３】
【特許文献１】特開２００９−８９２０４号公報
【発明の概要】
【発明が解決しようとする課題】
【０００４】
しかし、第１軸部品及び第２軸部品の組み立ては、煩わしい作業となりがちである。
【０００５】
本発明の目的は、連結部の組み立てが容易な携帯電子機器を提供することにある。
【課題を解決するための手段】
【０００６】
本発明の携帯電子機器は、貫通孔が形成された第１筐体と、前記貫通孔の貫通方向の一方側において前記貫通孔に対向する第１側方穴部、及び、前記貫通孔の貫通方向の他方側において前記貫通孔に対向する第２側方穴部が形成された第２筐体と、前記第１側方穴部及び前記貫通孔に跨って配置されており、その配置が前記第１側方穴部から出つつ前記貫通孔へ入る移動により可能である第１軸部品と、前記貫通孔及び前記第２側方穴部に跨って配置されており、その配置が前記第１軸部品により前記貫通孔から押し出されつつ前記第２側方穴部へ入る移動により可能である第２軸部品と、を有する。
【０００７】
好適には、前記携帯電子機器は、前記第１側方穴部及び前記貫通孔に跨って配置された状態の前記第１軸部品の前記第１側方穴部側から前記貫通孔側への移動、及び、前記貫通孔及び前記第２側方穴部に跨って配置された状態の前記第２軸部品の前記貫通孔側から前記第２側方穴部側への移動を規制する第１係止部を更に有する。
【０００８】
好適には、前記第１係止部は、前記第２軸部品に当接して前記第２軸部品の前記貫通孔側から前記第２側方穴部側への移動を規制し、前記第１軸部品は、前記第１係止部により移動が規制された状態の前記第２軸部品に当接することにより、前記第１側方穴部側から前記貫通孔側への移動が規制される。
【０００９】
好適には、前記第２筐体は、前記第１側方穴部及び前記第２側方穴部が形成される第１ケース部材と、前記第１ケース部材と固定される第２ケース部材と、を有し、前記第２ケース部材は、前記第１ケース部材と固定されたときに、前記第２軸部品により移動が規制された状態の前記第１軸部品に当接して前記第１軸部品の前記貫通孔側から前記第１側方穴部側への移動を規制する第２係止部を有する。
【００１０】
好適には、前記第２筐体は、前記第２側方穴部を中空領域とする筒状部を有し、前記第１係止部は、前記筒状部の前記貫通孔とは反対側の端面部であり、前記端面部には、前記第２軸部品よりも径が小さい小孔部が形成されている。
【００１１】
好適には、前記第２筐体は、前記第１側方穴部及び前記第２側方穴部が形成される第１ケース部材と、前記第１ケース部材と固定される第２ケース部材と、を有し、前記第１ケース部材は、前記第２側方穴部の前記貫通孔とは反対側において、前記貫通方向に見て前記第２側方穴部の少なくとも一部に重なり、前記第２側方穴部との距離が前記第２軸部品の長さよりも短い壁部を有する。
【００１２】
好適には、前記貫通方向において、前記第２軸部品の長さは、前記貫通孔の長さと同等である。
【発明の効果】
【００１３】
本発明によれば、連結部の組み立てを容易化できる。
【図面の簡単な説明】
【００１４】
【図１】本発明の実施形態に係る携帯電話機を開状態で示す外観斜視図。
【図２】図１の携帯電話機を閉状態で示す外観斜視図。
【図３】図１の携帯電話機の一部を示す分解斜視図。
【図４】図１の携帯電話機の連結突部周辺における分解斜視図。
【図５】図４のＶ−Ｖ線における断面図。
【図６】図１の携帯電話機の連結部の組み立て方法を説明する斜視図。
【図７】図６の続きを示す斜視図。
【図８】図６の続きを示す断面図。
【図９】図７及び図８の続きを示す斜視図。
【図１０】図７及び図８の続きを示す断面図。
【図１１】図９及び図１０の続きを示す断面図。
【発明を実施するための形態】
【００１５】
図１は、本発明の実施形態に係る携帯電話機１の外観を開状態で示す斜視図である。また、図２は、携帯電話機１の外観を閉状態で示す斜視図である。
【００１６】
携帯電話機１は、いわゆる折り畳み式の携帯電話機として構成されている。すなわち、携帯電話機１は、操作筐体３と、表示筐体５と、これら２つの筐体を回転軸ＲＡ回りに相対回転可能に連結する連結部６とを有している。
【００１７】
操作筐体３及び表示筐体５は、概ね薄型直方体状に形成されており、閉状態では、対向面３ａ及び５ａを互いに対向させて重ね合わされる。このとき、操作筐体３及び表示筐体５の輪郭は略一致する。また、開状態では、操作筐体３及び表示筐体５は、対向面３ａ及び５ａを露出させるように回転軸ＲＡを挟んで配列される。
【００１８】
連結部６は、表示筐体５から突出する連結突部１１が、操作筐体３に形成された凹部１３に挿入されて構成されている。連結突部１１は、表示筐体５の端部において、対向面５ａの面する方向へ突出している。凹部１３は、対向面３ａの平面視における操作筐体３の縁部を切り欠いた形状に形成されている。なお、連結部６は、連結突部１１に対して回転軸ＲＡ方向の両側に配置された第１側方部１５及び第２側方部１６を有していると捉えることもできる。
【００１９】
操作筐体３には、特に図示しないが、例えば、通話用のマイクロフォン、通信のためのアンテナ、報知用のスピーカ、カメラ、ユーザの操作を受け付ける操作部７（図１）が設けられている。表示筐体５には、特に図示しないが、例えば、通話用のスピーカ、表示部９（図１）が設けられている。
【００２０】
操作筐体３は、操作筐体３の対向面３ａ側を構成する操作フロントケース１７と、操作筐体３の対向面３ａとは反対側を構成する操作リアケース１９とを有している。
【００２１】
操作フロントケース１７及び操作リアケース１９は、例えば、樹脂により、又は、板金が埋設された樹脂により形成されている。操作フロントケース１７及び操作リアケース１９は、例えば、一方に挿通された不図示のネジが他方に螺合されることにより互いに固定されている。操作フロントケース１７及び操作リアケース１９は、互いに対向しており、その間には、不図示の回路基板などが挟持されて収容されている。
【００２２】
表示筐体５は、表示筐体５の対向面５ａ側を構成する表示フロントケース２１及びトリムプレート２３（図１）と、表示筐体５の対向面５ａとは反対側を構成する表示リアケース２５（図２）とを有している。
【００２３】
表示フロントケース２１及び表示リアケース２５は、例えば、樹脂により、又は、板金が埋設された樹脂により形成されている。表示フロントケース２１及び表示リアケース２５は、例えば、一方に挿通された不図示のネジが他方に螺合されることにより互いに固定されている。表示フロントケース２１及び表示リアケース２５は、互いに対向しており、その間には、不図示の回路基板などが挟持されて収容されている。トリムプレート２３は、例えば、透光性の樹脂又はガラスにより形成されている。トリムプレート２３は、例えば、不図示の両面テープにより表示フロントケース２１に固定されている。トリムプレート２３は、表示筐体５内に保持された表示装置の表示面を保護する。
【００２４】
図３は、携帯電話機１の一部を示す分解斜視図である。具体的には、図３では、操作筐体３と表示筐体５とが互いに切り離された状態で示されているとともに、操作筐体３は、操作フロントケース１７のみが示されている。
【００２５】
操作筐体３と表示筐体５は、第１軸部品２７が第１側方部１５及び連結突部１１に跨って挿通され、また、第２軸部品２９が第２側方部１６及び連結突部１１に跨って挿通されることにより、回転軸ＲＡ回りに相対回転可能に連結される。
【００２６】
第１軸部品２７は、第１部分３１と、第１部分３１に対して相対回転可能に連結された第２部分３３とを有している。第１部分３１は、第１側方部１５により回転不可能に保持され、第２部分３３は、連結突部１１に回転不可能に保持される。第１部分３１と第２部分３３とが相対回転であることにより、第１側方部１５と連結突部１１との回転軸ＲＡ回りの相対回転が許容される。第１軸部品２７の内部には、開閉に伴ってクリック感を生じさせる機構などが設けられている。
【００２７】
第２軸部品２９は、断面が概ね円形の軸状の部材により構成されている。第２軸部品２９は、金属などの比較的強度の高い材料により形成されている。第２軸部品２９は、第２側方部１６及び連結突部１１の少なくとも一方に対して回転軸ＲＡ回りに回転可能である。これにより、第２側方部１６と連結突部１１との回転軸ＲＡ回りの相対回転が許容される。
【００２８】
第１側方部１５は、操作フロントケース１７と、操作リアケース１９とにより構成されており、内部に中空領域が形成された筒状となっている。また、第１側方部１５は、第１軸部品２７の第１部分３１を保持する第１保持部３５を有している。
【００２９】
第１保持部３５は、操作フロントケース１７と一体的に形成されている。第１保持部３５は、概ね、操作フロントケース１７の内側面に立設された、比較的厚みのある壁状に形成されており、凹部１３を構成する壁部の一部を担っている。第１保持部３５には、第１部分３１が挿通される第１側方穴部３５ｈが形成されている。なお、第１保持部３５は、壁状に形成されているが、第１側方穴部３５ｈを中空領域とする筒状に形成されていると捉えられてもよい。
【００３０】
第１側方穴部３５ｈは、第１保持部３５を貫通しており、また、開口方向に見て非円形（楕円又は多角形など）に形成されている。一方、第１側方穴部３５ｈに挿入される、第１軸部品２７の第１部分３１は、回転軸ＲＡに直交する断面形状が、第１側方穴部３５ｈの開口方向に見た形状と概ね同一の形状となっている。第１部分３１は、第１側方穴部３５ｈに嵌合することにより、回転軸ＲＡ回りに回転不可能に第１保持部３５に保持される。
【００３１】
第２側方部１６は、操作フロントケース１７と、操作リアケース１９とにより構成されており、内部に中空領域が形成された筒状となっている。また、第２側方部１６は、第２軸部品２９の一端側部分を保持する第２保持部３７を有している。
【００３２】
第２保持部３７は、操作フロントケース１７と一体的に形成されている。第２保持部３７は、概ね、回転軸ＲＡを軸とする筒状に形成されており、その内部は、第２軸部品２９が挿通される第２側方穴部３７ｈ（図８参照）となっている。
【００３３】
第２側方穴部３７ｈは、連結突部１１側に開口しており、また、開口方向に見て円形に形成されている。第２軸部品２９は、第２側方穴部３７ｈの内周面に対して摺動可能に第２側方穴部３７ｈに挿通されることにより、回転軸ＲＡ回りに回転可能に第２保持部３７に保持される。
【００３４】
図４は、連結突部１１周辺における分解斜視図である。
【００３５】
連結突部１１は、突部本体３９と、突部本体３９に取り付けられる板金部材４１と、突部本体３９及び板金部材４１を覆うカバー４３とを有している。
【００３６】
突部本体３９は、第１軸部品２７及び第２軸部品２９を保持する部分である。板金部材４１は、操作筐体３と表示筐体５との電気的な導通、又は、突部本体３９の補強などの目的で設けられるものである。カバー４３は、デザイン性の向上などの目的で設けられるものである。板金部材４１及びカバー４３は、例えば、係合などにより突部本体３９に固定されている。
【００３７】
図５は、図４のＶ−Ｖ線における断面図である。
【００３８】
図４及び図５に示すように、突部本体３９は、表示フロントケース２１と一体的に形成されている。突部本体３９は、表示フロントケース２１の外側面から突出する突状に形成されている。突部本体３９は、突部本体３９の大部分を構成する主部３９ａと、主部３９ａから第２側方部１６側（図４及び図５の紙面右側）に突出する延在部３９ｂとを有している。
【００３９】
主部３９ａは、概ね、直方体形状の上に半円筒形状を設けた形状となっている。主部３９ａの内部には、中空部３９ｃ（図５）が形成されている。中空部３９ｃは、表示フロントケース２１の内側面に開口しており、表示筐体５の内部と連通している。中空部３９ｃには、不図示のバイブレータなどの適宜な電子部品が配置される。
【００４０】
また、主部３９ａには、第１軸部品２７が挿通される第１中央穴部３９ｄ（図５）が形成されている。別の観点では、主部３９ａは、第１中央穴部３９ｄを中空領域とする筒状の収容部３９ｅ（図５）を有している。第１中央穴部３９ｄは、第１側方部１５側（図４及び図５の紙面左側）に開口している。第１中央穴部３９ｄの開口方向に見た形状は、少なくとも穴の奥側においては、非円形となっている。第１軸部品２７の第２部分３３の回転軸ＲＡに直交する断面形状は、第１中央穴部３９ｄの開口方向に見た形状と概ね同一の形状（非円形）となっている。第２部分３３は、第１中央穴部３９ｄに嵌合することにより、回転軸ＲＡ回りに回転不可能に収容部３９ｅに保持される。
【００４１】
延在部３９ｂは、概ね筒状に形成されている。延在部３９ｂの内部空間、及び、主部３９ａの延在部３９ｂ側の壁部に形成された孔部は、第２軸部品２９が挿通される第２中央穴部３９ｆ（図５）を構成している。また、収容部３９ｅと中空部３９ｃとを仕切る仕切壁（収容部３９ｅの端面部）３９ｇにも、第２軸部品２９が挿通される第３中央穴部３９ｈ（図５）が形成されている。第２中央穴部３９ｆ及び第３中央穴部３９ｈの開口方向に見た形状は円形に形成されている。第２軸部品２９は、第２中央穴部３９ｆ及び第３中央穴部３９ｈの内周面に対して摺動可能にこれらの穴部に挿通されることにより、回転軸ＲＡ回りに回転可能に突部本体３９に保持される。
【００４２】
第１中央穴部３９ｄ、第３中央穴部３９ｈ、中空部３９ｃ、及び、第２中央穴部３９ｆは、順に接続されている。従って、突部本体３９には、これらの複数の穴部により形成され、突部本体３９を回転軸ＲＡ方向に貫通する貫通孔が形成されていると捉えることができる。また、突部本体３９は、その貫通孔を内部空間とする筒状に形成されていると捉えることができる。
【００４３】
上記の貫通孔は、カバー４３が突部本体３９に取り付けられると、第１側方部１５側において、カバー４３の第１側方部１５側の開口４３ｈ（図８参照）によってカバー４３の厚み分により延長される。以下では、開口４３ｈ、第１中央穴部３９ｄ、第３中央穴部３９ｈ、中空部３９ｃ、及び、第２中央穴部３９ｆにより構成される貫通孔を貫通孔１１ｈということがある。また、連結突部１１は、貫通孔１１ｈを内部空間とする筒状に形成されていると捉えることができる。
【００４４】
なお、連結部６は、操作筐体３の電子回路と、表示筐体５の電子回路とを電気的に接続するＦＰＣ４５（図３）の配置にも利用される。ＦＰＣ４５は、延在部３９ｂや第２保持部３７に巻かれて連結部６に配置される。
【００４５】
図６〜図１１を参照して、連結部６の組み立て方法を説明する。組み立ては、図６から図１１へ順次進む。ただし、図７と図８とは同時点における図であり、また、図９と図１０とは同時点における図である。図６、図７及び図９は斜視図であり、図８、図１０及び図１１は、図５に対応する断面図である。
【００４６】
まず、図６において矢印ｙ１及びｙ２で示すように、第１軸部品２７を第１側方穴部３５ｈに挿通するとともに、第２軸部品２９を連結突部１１（貫通孔１１ｈ）に挿通する。
【００４７】
なお、図６では、表示筐体５は、組み立てが完了している。すなわち、表示フロントケース２１、トリムプレート２３及び表示リアケース２５は、内部に電子部品（ＦＰＣ４５の一端を含む）等を収容した状態で互いに固定されている。また、連結突部１１においては、板金部材４１やカバー４３が突部本体３９に取り付けられている。このように、本実施形態の連結部６の組み立て方法は、表示筐体５の組み立て完了後に行うことができることも有利な効果の一つである。ただし、連結部６の組み立ては、表示筐体５の組み立て完了前に行われてもよい。
【００４８】
図６では、操作フロントケース１７内に電子部品が配置されていない。ただし、連結部６の組み立ては、操作フロントケース１７内に電子部品が配置された状態で行われてもよい。
【００４９】
図６では、第１軸部品２７は凹部１３側から第１側方穴部３５ｈに挿通されている。これは、操作フロントケース１７の、対向面３ａの外周を囲む外壁部１７ｓのうち、第１側方部１５側の部分を構成する第１壁構成部１７ｂが第１側方穴部３５ｈの凹部１３とは反対側に位置し、第１軸部品２７を凹部１３とは反対側から第１側方穴部３５ｈに挿通することを妨げていることからである。
【００５０】
このような第１壁構成部１７ｂは、第１側方穴部３５ｈの開口方向に見て第１側方穴部３５ｈの少なくとも一部と重なっている（図８参照）。また、第１壁構成部１７ｂと第１側方穴部３５ｈの凹部１３とは反対側の開口面との距離は、第１軸部品２７の軸方向の長さよりも短い。
【００５１】
ただし、第１壁構成部１７ｂ等の操作フロントケース１７の一部若しくは他の部材が第１側方穴部３５ｈに対して凹部１３とは反対側に隣接していない場合には、第１軸部品２７は、凹部１３とは反対側から第１側方穴部３５ｈに挿通されてもよい。
【００５２】
図６では、第２軸部品２９は第１側方部１５側から連結突部１１に挿通されている。ただし、第２軸部品２９は、その反対側から連結突部１１に挿通されてもよい。
【００５３】
図７及び図８は、第１軸部品２７の第１側方穴部３５ｈへの挿入、及び、第２軸部品２９の連結突部１１（貫通孔１１ｈ）への挿入が完了した状態を示している。
【００５４】
第１軸部品２７は、凹部１３側へ食み出さない位置まで第１側方穴部３５ｈに挿入される。換言すれば、第１軸部品２７は、貫通孔１１ｈ側の端部が第１側方穴部３５ｈ内に収まるように第１側方穴部３５ｈに挿入される。なお、このとき、第１壁構成部１７ｂは、第１軸部品２７に対して隣接している。第１壁構成部１７ｂと第１軸部品２７とは比較的狭い距離で離間していてもよいし、当接していてもよい。
【００５５】
また、第２軸部品２９は、その全体が貫通孔１１ｈに収まるように貫通孔１１ｈに挿入されている。より具体的には、第２軸部品２９の軸方向の長さは、貫通孔１１ｈの貫通方向の長さ（連結突部１１の幅；図８のＷ）と同等であり、第２軸部品２９の両端は、貫通孔１１ｈの両端に位置している。
【００５６】
なお、製造誤差などを考慮して、第２軸部品２９を所定の余裕量で貫通孔１１ｈの長さよりも短くした場合も、上記の同等の範囲に含まれるものとする。余裕量は、例えば、カバー４３の厚み（開口４３ｈの深さ）未満、又は、１．０ｍｍ（より好ましくは０．５ｍｍ）以下である。
【００５７】
連結突部１１の幅と凹部１３の幅とは、図８において幅Ｗで示されるように同等である。また、上述のように、第１軸部品２７は、凹部１３側へ食み出しておらず、第２軸部品２９は、その全体が連結突部１１に収容されている。従って、図８において矢印ｙ３及びその両側の点線で示されるように、連結突部１１は凹部１３に対して回転軸ＲＡに直交する方向に挿入可能である。
【００５８】
図９及び図１０は、連結突部１１の凹部１３への嵌合が完了した状態を示している。
【００５９】
図９に示されるように、操作フロントケース１７と表示筐体５とは、連結突部１１が凹部１３に嵌合することにより、また、対向面３ａ及び５ａが互いに当接することにより互いに位置決めされる。
【００６０】
そして、図１０に示されるように、第１側方穴部３５ｈ及び貫通孔１１ｈの一方端は、回転軸ＲＡ方向において互いに対向し、第２側方穴部３７ｈ及び貫通孔１１ｈの他方端は、回転軸ＲＡ方向において互いに対向する。換言すれば、第１側方穴部３５ｈ、貫通孔１１ｈ及び第２側方穴部３７ｈは、順に同軸状に配列される。また、第１軸部品２７及び第２軸部品２９も同軸状に配列され、互いに隣接している。
【００６１】
従って、図１０において矢印ｙ４で示す方向に第１軸部品２７を押し込むと、第１軸部品２７は、第１側方穴部３５ｈから押し出されつつ、貫通孔１１ｈに入る。また、貫通孔１１ｈに入った第１軸部品２７は、第２軸部品２９に当接して第２軸部品２９を押す。第２軸部品２９は、貫通孔１１ｈから押し出されつつ第２側方穴部３７ｈに入る。
【００６２】
図１１は、第１軸部品２７の押し込みが完了した状態を示している。
【００６３】
第１軸部品２７を押し込んでいくと、第１軸部品２７に押されて第２側方穴部３７ｈに挿通された第２軸部品２９は、第２保持部３７の筒形状の端面部３７ａに当接し、それ以上の貫通孔１１ｈ側から第２側方穴部３７ｈ側への移動が規制される。また、第１軸部品２７は、端面部３７ａに係止された第２保持部３７から反力を受け、それ以上の第１側方穴部３５ｈ側から貫通孔１１ｈ側への移動が規制される。なお、このとき、第１軸部品２７は、仕切壁３９ｇには当接していない。
【００６４】
その後、操作フロントケース１７と操作リアケース１９との間に電子部品を配置しつつ、操作フロントケース１７と操作リアケース１９とを固定すると、操作リアケース１９に設けられたリブ１９ｄが第１軸部品２７と第１壁構成部１７ｂとの間に挿入される。リブ１９ｄは、第１軸部品２７に対して貫通孔１１ｈとは反対側に隣接する。リブ１９ｄは、第１軸部品２７に対して当接してもよいし、比較的微小な距離で離間してもよい。
【００６５】
リブ１９ｄにより、第１軸部品２７の貫通孔１１ｈ側から第１側方穴部３５ｈ側への移動が規制される。また、第２軸部品２９は、リブ１９ｄに係止された第１軸部品２７により、第２側方穴部３７ｈ側から貫通孔１１ｈ側への移動が規制される。
【００６６】
なお、第２保持部３７の貫通孔１１ｈとは反対側には、操作フロントケース１７の外壁部１７ｓの一部である第２壁構成部１７ｃが設けられている。第２壁構成部１７ｃは、第２側方穴部３７ｈの開口方向に見て第２側方穴部３７ｈの少なくとも一部に重なっている。第２側方穴部３７ｈの凹部１３とは反対側の端面と第２壁構成部１７ｃとの距離は、第２軸部品２９の長さよりも短い。
【００６７】
次に、連結部６の分解方法について説明する。
【００６８】
まず、操作フロントケース１７から操作リアケース１９を取り外す。これにより、リブ１９ｄによる第１軸部品２７及び第２軸部品２９の第２側方部１６側から第１側方部１５側への移動（図１１の紙面左側への移動）の規制が解除される。
【００６９】
第２保持部３７の端面部３７ａには、第２側方穴部３７ｈ（第２軸部品２９）よりも直径が小さい小孔部３７ｊが形成されている。そして、ピンなどを小孔部３７ｊに挿通して第２軸部品２９を押すことにより、第２軸部品２９及び第１軸部品２７を第２側方部１６側から第１側方部１５側へ移動させることができる。これにより、連結部６は、図９及び図１０に示す状態に戻る。
【００７０】
その後、連結突部１１を凹部１３から引き抜くことにより、連結部６は、図７及び図８に示す状態に戻る。そして、第１軸部品２７は第１側方穴部３５ｈから引き抜き可能、第２軸部品２９は貫通孔１１ｈから引き抜き可能となる。
【００７１】
以上の実施形態によれば、携帯電話機１は、貫通孔１１ｈが形成された表示筐体５と、貫通孔１１ｈの貫通方向の一方側において貫通孔１１ｈに対向する第１側方穴部３５ｈ、及び、貫通孔１１ｈの貫通方向の他方側において貫通孔１１ｈに対向する第２側方穴部３７ｈが形成された操作筐体３とを有する。また、携帯電話機１は、第１側方穴部３５ｈ及び貫通孔１１ｈに跨って配置されており、その配置が第１側方穴部３５ｈから出つつ貫通孔１１ｈへ入る移動により可能である第１軸部品２７と、貫通孔１１ｈ及び第２側方穴部３７ｈに跨って配置されており、その配置が第１軸部品２７により貫通孔１１ｈから押し出されつつ第２側方穴部３７ｈへ入る移動により可能である第２軸部品２９とを有する。
【００７２】
従って、第１軸部品２７及び第２軸部品２９を同時に各穴部に挿通することができる。その結果、連結部６の組み立てが容易化される。また、筐体の設計の自由度等が向上する。例えば、第１軸部品２７に関しては、作業者は、第１壁構成部１７ｂと第１保持部３５との間の隙間に指又は工具を入れて、第１側方穴部３５ｈに収容されている第１軸部品２７を貫通孔１１ｈへ押し込む。一方、第２軸部品２９に関しては、第２軸部品２９は、第１軸部品２７により押し込まれるから、第２軸部品２９を押し込むために指又は工具を入れる隙間は必要ない。従って、その隙間の不要性によって筐体の設計の自由度の向上や小型化が図られる。
【００７３】
携帯電話機１は、第１側方穴部３５ｈ及び貫通孔１１ｈに跨って配置された状態の第１軸部品２７の第１側方穴部３５ｈ側から貫通孔１１ｈ側への移動、及び、貫通孔１１ｈ及び第２側方穴部３７ｈに跨って配置された状態の第２軸部品の貫通孔１１ｈ側から第２側方穴部３７ｈ側への移動を規制する端面部３７ａを更に有する。
【００７４】
従って、端面部３７ａに係止されるまで第１軸部品２７を押し込めばよく、組み立てが容易である。
【００７５】
端面部３７ａは、第２軸部品２９に当接して第２軸部品２９の貫通孔１１ｈ側から第２側方穴部３７ｈ側への移動を規制する。第１軸部品２７は、端面部３７ａにより移動が規制された状態の第２軸部品２９に当接することにより、第１側方穴部３５ｈ側から貫通孔１１ｈ側への移動が規制される。
【００７６】
従って、第１軸部品２７及び第２軸部品２９のそれぞれに対応して係止部を設ける態様（この態様も本発明に含まれる）に比較して、構成が簡素である。また、２つの部品で、一の係止部の係止に係るガタ（余裕量又は精度誤差）を共有することになるから、ガタを縮小し、ひいては、連結部６を小型化できる。
【００７７】
操作筐体３は、第１側方穴部３５ｈ及び第２側方穴部３７ｈが形成される操作フロントケース１７と、操作フロントケース１７と固定される操作リアケース１９と、を有する。操作リアケース１９は、操作フロントケース１７と固定されたときに、第２軸部品２９により移動が規制された状態の第１軸部品２７に当接して第１軸部品２７の貫通孔１１ｈ側から第１側方穴部３５ｈ側への移動を規制するリブ１９ｄを有する。
【００７８】
従って、操作フロントケース１７と操作リアケース１９との固定により、第１軸部品２７の移動の規制がなされることになり、構成が簡素である。さらに、一対の係止部（リブ１９ｄ及び端面部３７ａ）により、２つの軸部品を両方向において位置決めするから、構成の簡素化及びガタの縮小が図られる。
【００７９】
操作筐体３は、第２側方穴部３７ｈを中空領域とする筒状の第２保持部３７を有する。第２軸部品２９の貫通孔１１ｈ側から第２側方穴部３７ｈ側への移動を規制する係止部は、第２保持部３７の筒形状の、貫通孔１１ｈとは反対側の端面部３７ａである。端面部３７ａには、第２軸部品２９よりも径が小さい小孔部３７ｊが形成されている。
【００８０】
従って、第２軸部品２９を筒状の第２保持部３７により確実に保持しつつ、第２軸部品２９の移動を規制する係止部を簡便に形成することができる。そして、小孔部３７ｊにより、筒状の第２保持部３７から第２軸部品２９を押し出すことが容易化され、さらには、第１軸部品２７を貫通孔１１ｈから押し出すことも容易化される。
【００８１】
操作筐体３は、第１側方穴部３５ｈ及び第２側方穴部３７ｈが形成される操作フロントケース１７と、操作フロントケース１７と固定される操作リアケース１９と、を有する。操作フロントケース１７は、第２側方穴部３７ｈの貫通孔１１ｈとは反対側において、貫通孔１１ｈの貫通方向に見て第２側方穴部３７ｈの少なくとも一部に重なり、第２側方穴部３７ｈとの距離が第２軸部品２９の長さよりも短い第２壁構成部１７ｃを有する。
【００８２】
このような第２壁構成部１７ｃは、第２軸部品２９が、第１軸部品２７により貫通孔１１ｈから押し出されて第２側方穴部３７ｈに挿入される構成により実現される。すなわち、第２軸部品２９を第２側方穴部３７ｈに貫通孔１１ｈとは反対側から挿入する構成の場合には、第２壁構成部１７ｃは第２軸部品２９の挿入の妨げとなるから、第２壁構成部１７ｃを設けることができない。本実施形態ではそのような不都合が生じず、第２壁構成部１７ｃの配置が可能となる。そして、その結果、筐体の設計の自由度の向上又は小型化が可能となる。
【００８３】
貫通孔１１ｈの貫通方向において、第２軸部品２９の長さは、貫通孔１１ｈの長さと同等である。
【００８４】
従って、第１軸部品２７の貫通孔１１ｈへの挿入量は、第２軸部品２９の第２側方穴部３７ｈへの挿入量と同等となる。従って、設計が容易化される。また、第２軸部品２９の長さを貫通孔１１ｈの長さと同等とすることは、第２軸部品２９の長さをできるだけ長くすることを意味する。一方、第２軸部品２９は、一般に、金属により形成されるなど、強度が高い材料により形成される。従って、連結部６の強度向上が図られることになる。当該強度向上の効果は、貫通孔１１ｈ及び第２側方穴部３７ｈを構成する部分（突部本体３９及び第２保持部３７）が、第２軸部品２９を構成する材料（金属）よりも強度の低い材料（樹脂）により形成されているときに顕著である。
【００８５】
なお、以上の実施形態において、携帯電話機１は本発明の携帯電子機器の一例であり、表示筐体５は本発明の第１筐体の一例であり、操作筐体３は本発明の第２筐体の一例であり、端面部３７ａは本発明の第１係止部の一例であり、操作フロントケース１７は本発明の第１ケース部材の一例であり、操作リアケース１９は本発明の第２ケース部材の一例であり、リブ１７ｄは本発明の第２係止部の一例であり、第２壁構成部１７ｃは本発明の壁部の一例である。
【００８６】
本発明は、以上の実施形態に限定されず、種々の態様で実施されてよい。
【００８７】
例えば、小孔部３７ｊの代わりに、第２軸部品２９の第２側方穴部３７ｈ側端面の一部分が露出し、残りの部分が端面部３７ａに閉塞されるように端面部３７ａに開口部が形成されてもよい。この場合、当該開口部の径は第２軸部品２９よりも径が大きくてもよい。
【００８８】
携帯電子機器は、携帯電話機に限定されない。例えば、携帯電子機器は、ＰＤＡ、デジタルカメラ、ゲーム機であってもよい。
【符号の説明】
【００８９】
１…携帯電話機（携帯電子機器）、３…操作筐体（第２筐体）、５…表示筺体（第１筐体）、１１ｈ…貫通孔、２７…第１軸部品、２９…第２軸部品、３５ｈ…第１側方穴部、３７ｈ…第２側方穴部。
【図１】
2011172023.tif 000003
【図２】
2011172023.tif 000004
【図３】
2011172023.tif 000005
【図４】
2011172023.tif 000006
【図５】
2011172023.tif 000007
【図６】
2011172023.tif 000008
【図７】
2011172023.tif 000009
【図８】
2011172023.tif 000010
【図９】
2011172023.tif 000011
【図１０】
2011172023.tif 000012
【図１１】
2011172023.tif 000013